(57)【要約】【課題】飲料管を他の水槽に使い回すことができる飲料サーバ、及び飲料管の設置方法を提供する。【解決手段】一形態に係る飲料サーバは、飲料を冷却する冷却液を収容する水槽５Ａと、飲料が通るコイル部、及びコイル部を水槽５Ａに支持する天板７ｄを有する飲料管ユニット７と、天板７ｄと水槽５Ａの間に取り付けられる取付部材２０と、を備える。すなわち、この飲料サーバは、飲料管ユニット７の天板７ｄに取り付けられる取付部材２０を備え、取付部材２０は、水槽５Ａと天板７ｄとの間に介在して飲料管ユニット７を支持する。【選択図】図９
2018004196.tif 000002
【特許請求の範囲】
【請求項１】
飲料を冷却する冷却液を収容する水槽と、
前記飲料が通る飲料管、及び前記飲料管を前記水槽に支持する支持部を有する飲料管ユニットと、
前記支持部と前記水槽の間に取り付けられる取付部材と、
を備える、
飲料サーバ。
【請求項２】
前記取付部材は、前記支持部に取り付けられた状態で前記水槽と前記支持部との間に介在する、
請求項１に記載の飲料サーバ。
【請求項３】
前記取付部材は、前記支持部に取り付けられた状態で前記水槽の底壁に接触する、
請求項１又は２に記載の飲料サーバ。
【請求項４】
前記取付部材は、前記支持部に取り付けられた状態で前記水槽の側壁に到達する、
請求項１又は２に記載の飲料サーバ。
【請求項５】
前記飲料管ユニットは、前記水槽に対して脱着自在となっている、
請求項１〜４のいずれか一項に記載の飲料サーバ。
【請求項６】
前記取付部材は、前記側壁の上面に対向する板状の第１部分と、前記第１部分から前記第１部分の面外方向に突出して前記側壁の内側面に対向する第２部分と、を有する、
請求項４に記載の飲料サーバ。
【請求項７】
飲料を冷却する冷却液を収容する水槽に飲料管ユニットを設置する飲料管の設置方法であって、
前記飲料管ユニットの支持部に取付部材を取り付ける工程と、
前記取付部材を前記水槽と前記支持部との間に介在させることによって、前記水槽の内部において前記飲料管ユニットを支持する工程と、
を備える飲料管の設置方法。
【発明の詳細な説明】
【技術分野】
【０００１】
本発明は、飲料を提供するときに用いられる飲料サーバ、及び飲料管の設置方法に関する。
【背景技術】
【０００２】
特開２００４−８５１５９号公報には、飲料冷却注出装置が記載されている。この飲料冷却注出装置は、冷却水を収容する水槽と、冷却水に浸漬されると共に飲料が通る飲料管とを備えている。水槽は、略直方体状を呈しており、側壁と底壁とを有する。水槽の側壁の内側には、螺旋状とされた蒸発器が設けられており、この蒸発器の内部に冷媒が通されることによって蒸発器の周囲に氷が生成される。また、前述の飲料管は、螺旋状に形成されており、水槽に対して脱着される。
【先行技術文献】
【特許文献】
【０００３】
【特許文献１】特開２００４−８５１５９号公報
【発明の概要】
【発明が解決しようとする課題】
【０００４】
前述した飲料サーバでは、水槽に対して飲料管が脱着され、飲料管は、水槽から外されたときに洗浄又は交換が行われる。ところで、飲料サーバとしては様々な種類のものがある。すなわち、高い冷却能力を発揮する大型の飲料サーバもあれば、省スペース化が可能な小型の飲料サーバもある。これに伴い、飲料サーバで用いられる水槽の大きさも様々である。
【０００５】
しかしながら、前述した飲料管は、収容される水槽の大きさに対応したものとなっており、他の水槽には、大きさが合わないことによって使えない場合がある。このように、飲料管の大きさは水槽の大きさに対応したものとなっているため、飲料管を他の水槽に使い回すことができていないという現状がある。
【０００６】
本発明は、飲料管を他の水槽に使い回すことができる飲料サーバ、及び飲料管の設置方法を提供することを目的とする。
【課題を解決するための手段】
【０００７】
本発明に係る飲料サーバは、飲料を冷却する冷却液を収容する水槽と、飲料が通る飲料管、及び飲料管を水槽に支持する支持部を有する飲料管ユニットと、支持部と水槽の間に取り付けられる取付部材と、を備える。
【０００８】
この飲料サーバは、飲料管ユニットの支持部と水槽の間に取り付けられる取付部材を備える。従って、取付部材が飲料管ユニットと水槽の間に取り付けられることによって、飲料管を取付部材を介して水槽に支持させることができる。これにより、飲料管と比べて大きい水槽に対しても、取付部材が取り付けられることによって飲料管を水槽に支持させることができる。よって、飲料管を他の水槽に使い回すことができる。
【０００９】
また、取付部材は、支持部に取り付けられた状態で水槽と支持部との間に介在してもよい。この場合、取付部材は、水槽と支持部との間に介在して飲料管を支持する。すなわち、取付部材を飲料管ユニットに取り付けることによって、飲料管を取付部材を介して水槽に支持させることができる。従って、飲料管と比べて大きい水槽に対しても、取付部材を介して飲料管を水槽に支持させることができる。
【００１０】
また、取付部材は、支持部に取り付けられた状態で水槽の底壁に接触してもよい。この場合、飲料管ユニットの支持部に取付部材を取り付けて取付部材を水槽の底壁に接触させることにより、より深い水槽に対しても飲料管を設置することができる。また、飲料管ユニットの支持部に取付部材を取り付けて、取付部材を底壁に接触させて飲料管を支持することにより、飲料管の設置を行うことができる。従って、深さが異なる他の水槽に対しても飲料管を使い回すことができる。
【００１１】
また、取付部材は、支持部に取り付けられた状態で水槽の側壁に到達してもよい。この場合、飲料管ユニットだけでは側壁に到達しない大きな水槽に対しても、支持部に取付部材を取り付けることによって飲料管ユニットを側壁に到達させることができる。よって、水平方向に広い面積を備えた他の水槽に対しても飲料管を使い回すことができる。
【００１２】
また、飲料管ユニットは、水槽に対して脱着自在となっていてもよい。この場合、水槽に対する飲料管ユニットの脱着を行うことにより、他の水槽への飲料管の使い回しを行うことができる。
【００１３】
また、取付部材は、側壁の上面に対向する板状の第１部分と、第１部分から第１部分の面外方向に突出して側壁の内側面に対向する第２部分と、を有してもよい。この場合、取付部材の取り付け時に、第１部分が水槽の側壁の上面に対向し、第２部分が水槽の内側面に対向する。このように上面に対向する第１部分と内側面に対向する第２部分とを備えることにより、取付部材を補強することができる。また、第１部分を上面に対向させると共に第２部分を内側面に対向させることによって、側壁に対する取付部材の位置決めを行うことができる。
【００１４】
本発明に係る飲料管の設置方法は、飲料を冷却する冷却液を収容する水槽に飲料管ユニットを設置する飲料管の設置方法であって、飲料管ユニットの支持部に取付部材を取り付ける工程と、取付部材を水槽と支持部との間に介在させることによって、水槽の内部において飲料管ユニットを支持する工程と、を備える。
【００１５】
この飲料管の設置方法では、飲料管ユニットの支持部に取付部材が取り付けられ、取付部材を水槽と支持部との間に介在させることによって飲料管を支持する。このように取付部材を支持部に取り付けることによって、取付部材を介して飲料管を水槽に支持させることができる。従って、飲料管と比べて大きい水槽に対しても、取付部材を介して飲料管を水槽に支持させることができる。よって、取付部材を支持部に取り付けることにより、飲料管を他の水槽に使い回すことができる。
【発明の効果】
【００１６】
本発明によれば、飲料管を他の水槽に使い回すことができる。
【図面の簡単な説明】
【００１７】
【図１】実施形態に係る飲料サーバを示す斜視図である。
【図２】図１の飲料サーバの蓋を開けた状態を示す平面図である。
【図３】図１の飲料サーバの第１飲料管ユニットを示す側面図である。
【図４】図１の飲料サーバの第２飲料管ユニットを示す側面図である。
【図５】図４の第２飲料管ユニットの底部を下から見た状態を示す斜視図である。
【図６】図５の底部に取り付けられる取付部材を示す斜視図である。
【図７】図６の取付部材が取り付けられた状態を示す側面図である。
【図８】図４の第２飲料管ユニットの側部に取り付けられる取付部材を示す斜視図である。
【図９】図８の取付部材が取り付けられた飲料サーバを示す平面図である。
【発明を実施するための形態】
【００１８】
以下、図面を参照しながら本発明の実施形態に係る飲料サーバについて説明する。以下の説明において、同一又は相当する要素には同一の符号を付し重複する説明を省略する。
【００１９】
図１は、本実施形態に係る飲料サーバ１の外観を示す斜視図である。飲料サーバ１は、例えば飲食店等に設けられる装置であって顧客の注文等に応じて第１カラン２Ａ、第２カラン２Ｂ及び第３カラン２Ｃのいずれかが引かれることにより、第１飲料、第２飲料、及び第３飲料のいずれかが注出される。飲料サーバ１は、例えば、第１飲料、第２飲料、及び第３飲料を冷却する電気式の瞬間冷却式サーバである。
【００２０】
第１カラン２Ａ、第２カラン２Ｂ、及び第３カラン２Ｃは、共に飲料サーバ１の筐体４に直接取り付けられている。第１カラン２Ａからは第１飲料、第２カラン２Ｂからは第２飲料、第３カラン２Ｃからは第３飲料、がそれぞれ注出される。第１〜第３飲料としては、ビール、発泡酒及びワイン等のアルコール飲料、並びに、アルコールを含まない飲料も含まれる。
【００２１】
筐体４は、その中央に配置される直方体状の第１筐体４ａと、第１筐体４ａの片側に取り付けられた第２筐体４ｄと含んでいる。第２筐体４ｄは、第１筐体４ａの片側に位置する側壁４ｂに固定されている。第１カラン２Ａ及び第２カラン２Ｂは、第１筐体４ａの前壁に取り付けられており、第３カラン２Ｃは、第２筐体４ｄの前壁４ｅに取り付けられている。第１筐体４ａは、その上部に、開閉自在な蓋４ｃを備える。
【００２２】
図２は、筐体４の第１筐体４ａの前壁側の部分であって、筐体４から蓋４ｃを取り外した状態を示す平面図である。筐体４の内部には、水槽５と、第１飲料管ユニット６と、第２飲料管ユニット７とが収容される。図３は第１飲料管ユニット６を示す側面図であり、図４は第２飲料管ユニット７を示す斜視図である。
【００２３】
水槽５の内部には冷却水（冷却液）が収容される。水槽５は、略直方体状に形成されている。水槽５は、前壁５ａ、一対の側壁５ｂ（壁部）、後壁５ｃ及び底壁５ｄ（壁部）を備えており、前壁５ａ及び側壁５ｂのそれぞれは、第１筐体４ａの前壁及び側壁４ｂのそれぞれと対向している。後壁５ｃは、前壁５ａの反対側を向いており、後壁５ｃの後方には、水槽５内の冷却水を冷却させる冷凍サイクル機構が設けられている。底壁５ｄは、第１飲料管ユニット６及び第２飲料管ユニット７が載置される部位である。
【００２４】
第１飲料管ユニット６は、水槽５の内部において冷却水に浸漬される。第１飲料管ユニット６は、水槽５に対して脱着自在とされている。図３に示されるように、第１飲料管ユニット６は、螺旋状に形成されたコイル部６ａと、コイル部６ａを支持する支持脚６ｂと、支持脚６ｂの上端が固定された天板６ｃと、天板６ｃの前端で上方に折り曲げられた板状部６ｄと、支持脚６ｂの下端が固定された底板６ｅとを備えている。
【００２５】
コイル部６ａは、例えば、平面視において円形状となっている。コイル部６ａは、天板６ｃと底板６ｅの間で螺旋状に延びている。コイル部６ａの上端部は、天板６ｃの上方で接続部材８及び板状部６ｄを介してカラン２Ａ，２Ｂに連結されている。コイル部６ａの上側の螺旋ピッチ（軸線方向に隣り合うコイル部６ａ同士の間隔）は、コイル部６ａの下側の螺旋ピッチよりも長くなっている。これにより、コイル部６ａの上側において、より冷却水を流通させることが可能となるため、コイル部６ａの上側において一層効率よく飲料を冷却させることができる。
【００２６】
支持脚６ｂは、第１飲料管ユニット６を支持する機能と、コイル部６ａを保持する機能とを有する。支持脚６ｂは、例えば、３箇所に設けられており、コイル部６ａの周方向に等間隔に配置されている。各支持脚６ｂは、第１固定部６ｆと、第１直線部６ｇと、第１折り曲げ部６ｈと、第２直線部６ｊと、第２折り曲げ部６ｋと、第３直線部６ｍと、第２固定部６ｎとを有する。
【００２７】
第１固定部６ｆは、天板６ｃの下面に固定されている。第１直線部６ｇは、第１固定部６ｆから下方に直線状に延びており、第１直線部６ｇの下端には、コイル部６ａの径方向外側に曲げられた第１折り曲げ部６ｈが設けられている。第２直線部６ｊは、第１折り曲げ部６ｈの径方向外側の端部から下方に直線状に延びており、第２直線部６ｊの下端には、第２直線部６ｊから径方向内側に曲げられた第２折り曲げ部６ｋが設けられている。第３直線部６ｍは、第２折り曲げ部６ｋの径方向内側の端部から下方に直線状に延びており、第３直線部６ｍの下端には、底板６ｅに固定される第２固定部６ｎが設けられている。
【００２８】
第１折り曲げ部６ｈ、第２直線部６ｊ及び第２折り曲げ部６ｋは、第１直線部６ｇ及び第３直線部６ｍに対して径方向外側に突出する突出部を形成しており、この突出部の内側にコイル部６ａが保持されている。第２直線部６ｊの内側面にはコイル部６ａの外周面が接触している。また、第１折り曲げ部６ｈの上下両方にコイル部６ａが配置されており、第２折り曲げ部６ｋの上側にコイル部６ａの下端部が乗せられている。
【００２９】
天板６ｃは、平面視において長方形状とされている。天板６ｃは、コイル部６ａを上下に通す一対の第１貫通孔６ｐと、天板６ｃの後側で冷却水撹拌用のモータ９を上方に露出させる第２貫通孔６ｑと、コイル部６ａに飲料を流入させる一対の飲料流入部６ｒとを備えている。
【００３０】
第１貫通孔６ｐは、前後方向に延びる長穴状とされており、各第１貫通孔６ｐには、天板６ｃの下方からコイル部６ａが前方且つ上方に延びている。飲料流入部６ｒは、円柱状とされており、飲料流入部６ｒの外周面には雄螺子が形成されている。この雄螺子には、ホース取付部材がねじ込まれ、このホース取付部材には飲料供給用のホース部材が取り付けられる。また、板状部６ｄは、第１カラン２Ａ及び第２カラン２Ｂのそれぞれに接続される接続部材８を前後に通す挿通孔を有する。
【００３１】
第２飲料管ユニット７は、水槽５の内部において冷却水に浸漬されると共に水槽５に対して脱着自在とされている。図４に示されるように、第２飲料管ユニット７は、螺旋状に形成されるコイル部７ａ（飲料管）と、コイル部７ａを支持する支持脚７ｂと、支持脚７ｂの上部及び下部が固定されると共にコイル部７ａを径方向外側から包囲する保護部材７ｃと、コイル部７ａの上方に位置する天板７ｄ（支持部）とを備えている。
【００３２】
コイル部７ａは、例えば平面視において円形とされており、コイル部７ａの内部には第３飲料が通される。水槽５の内部に第１飲料管ユニット６及び第２飲料管ユニット７を配置した状態において、第２飲料管ユニット７のコイル部７ａは、第１飲料管ユニット６のコイル部６ａの外側に位置する。コイル部７ａの両端は、コイル部７ａの螺旋状とされた部位から上方に伸び出している。
【００３３】
図５は、支持脚７ｂを下方から見た斜視図である。図４及び図５に示されるように、支持脚７ｂは、第２飲料管ユニット７を支持する機能と、コイル部７ａを保持する機能とを有する。支持脚７ｂは、例えば、３箇所に設けられており、コイル部７ａの周方向に等間隔に配置されている。各支持脚７ｂは、第１固定部７ｅと、第１折り曲げ部７ｆと、第１直線部７ｇと、第２折り曲げ部７ｈと、第２固定部７ｊと、支持部７ｋとを備えている。
【００３４】
第１固定部７ｅは、板状とされており、ネジＮによって保護部材７ｃの内側面に固定されている。第１折り曲げ部７ｆは、第１固定部７ｅの下端において径方向内側に曲げられた部位であり、第１折り曲げ部７ｆの径方向内側の端部から第１直線部７ｇが直線状に下方に延びている。第１直線部７ｇの下端には第２折り曲げ部７ｈが設けられており、この第２折り曲げ部７ｈは径方向内側に突出している。第２固定部７ｊは、第２折り曲げ部７ｈの下端から下方に直線状に延びると共に、保護部材７ｃの内側面にネジＮによって固定されている。
【００３５】
第２固定部７ｊは、コイル部７ａ及び保護部材７ｃよりも下方に延在しており、第２固定部７ｊの下端に支持部７ｋが設けられている。支持部７ｋは、第２固定部７ｊの下端において径方向内側に折り曲げられており、支持部７ｋの下面７ｍが水槽５の底壁５ｄに接触することによって、第２飲料管ユニット７は水槽５の内部で支持される。
【００３６】
保護部材７ｃは、例えば、コイル部７ａの外周側に取り付けられた塩ビ管である。保護部材７ｃは、水槽５の内側面に生成された氷からコイル部７ａを保護するために設けられる。なお、上記の氷とコイル部７ａとの間に十分な隙間を確保できる場合には、保護部材７ｃを不要とすることができる。
【００３７】
天板７ｄは、矩形板状とされており、コイル部７ａに第３飲料を流入させる飲料流入部７ｐと、コイル部７ａから第３飲料を流出させる飲料流出部７ｑとを有する。天板７ｄはコイル部７ａを水槽５に支持する機能を有する。飲料流入部７ｐはコイル部７ａの一端に接続されており、飲料流出部７ｑはコイル部７ａの他端に接続されている。また、天板７ｄには、ネジが挿入される一対のネジ穴７ｒが形成されている。２つのネジ穴７ｒは、天板７ｄの幅方向の一方側（飲料流入部７ｐ及び飲料流出部７ｑの反対側）において、天板７ｄの長手方向に沿って並設されている。
【００３８】
飲料流入部７ｐ及び飲料流出部７ｑにはホース取付部材がねじ込まれる。飲料流入部７ｐにねじ込まれたホース取付部材には、外部からコイル部７ａに第３飲料を流入するためのホース部材が取り付けられる。また、飲料流出部７ｑにねじ込まれたホース取付部材には、第３カラン２Ｃに接続される第３飲料注出用のホース部材が取り付けられる。
【００３９】
図６は、第２飲料管ユニット７の支持部７ｋに取り付けられる取付部材１０を示す斜視図である。図７は取付部材１０が支持部７ｋに取り付けられた状態を示す側面図である。取付部材１０は、第２飲料管ユニット７の高さを調整する高さ調整部材である。取付部材１０は、例えば、金属製の板状部材が折り曲げ加工されることによって形成された板状部１１と、板状部１１に固定されると共に板状部１１に対する上下位置を調整可能な２つの調整部１２とを備えている。
【００４０】
板状部１１は、第１部分１１ａ〜第５部分１１ｅによって構成されている。第１部分１１ａには上側の調整部１２が固定されており、第２部分１１ｂは第１部分１１ａから下方に延びている。第３部分１１ｃは、第２部分１１ｂの下端において第２部分１１ｂの交差方向に延びており、第４部分１１ｄは、第３部分１１ｃの第２部分１１ｂとの反対側の端部から下方に延びている。第５部分１１ｅは、第４部分１１ｄの下端において第４部分１１ｄの交差方向に延びている。また、第１部分１１ａ及び第５部分１１ｅは、調整部１２を上下に挿通させる挿通孔１１ｆを有する。
【００４１】
調整部１２は、例えば、第１部分１１ａの上側、及び第５部分１１ｅの下側に設けられる。調整部１２は、第１部分１１ａ及び第５部分１１ｅのそれぞれに固定されたナット部１２ａと、ナット部１２ａに螺合されるボルト部１２ｂとを有する。ナット部１２ａは、第１部分１１ａの上面、及び第５部分１１ｅの下面、に固定されている。平面視におけるナット部１２ａの螺合穴の位置は挿通孔１１ｆの位置と一致している。
【００４２】
ボルト部１２ｂは、頭部１２ｃと、頭部１２ｃから直線状に延びる雄螺子部１２ｄとを含んでいる。上側の調整部１２のボルト部１２ｂは、上からナット部１２ａに挿入され、このボルト部１２ｂの下端は第１部分１１ａの下面から下方に突出する。また、第１部分１１ａ、第２部分１１ｂ及び第３部分１１ｃによって形成されたコの字状の部分は、支持部７ｋが入り込む部位とされており、ボルト部１２ｂの下端が支持部７ｋに上から当接することによって、支持部７ｋが取付部材１０に固定される。
【００４３】
下側の調整部１２のボルト部１２ｂは、第２飲料管ユニット７（取付部材１０）の高さを調整するために設けられる。このボルト部１２ｂは、下からナット部１２ａに挿入され、このボルト部１２ｂの上端は第５部分１１ｅの上面から上方に突出する。また、このボルト部１２ｂの頭部１２ｃに対するナット部１２ａの高さＨを調整することにより、第２飲料管ユニット７の高さが調整可能となる。
【００４４】
すなわち、下側のボルト部１２ｂの螺合度合を調整することにより、取付部材１０が取り付けられた第２飲料管ユニット７の高さを調整することが可能となる。このように、第２飲料管ユニット７の各支持部７ｋに取付部材１０を取り付けて、下側のボルト部１２ｂの螺合度合を調整することにより、第２飲料管ユニット７の高さ調整が行われる。
【００４５】
図８は、第２飲料管ユニット７の天板７ｄに取り付けられる取付部材２０を示す斜視図である。取付部材２０は、第２飲料管ユニット７の水平方向の長さを調整する調整部材である。取付部材２０は、例えば、金属製の板状部材で構成されている。取付部材２０は、側面視においてＴ字状に形成される。取付部材２０は、略水平に延在する長方形状の第１部分２１と、第１部分２１から第１部分２１の面外方向に突出する長方形状の第２部分２２とを有する。
【００４６】
図９は、取付部材２０、第２飲料管ユニット７及び水槽５Ａの位置関係を示している。水槽５Ａは、前述の水槽５と同様の構成を備えているが、大きさが水槽５と異なっている。水槽５Ａは、水槽５よりも水平方向への面積が大きい。また、取付部材２０の第１部分２１は、その四隅に挿通孔２１ａを有する。４つの挿通孔２１ａのうち、第１部分２１の幅方向の一方側に設けられた２つの挿通孔２１ａは、天板７ｄの各ネジ穴７ｒに位置合わせされる。また、第１部分２１の幅方向の他方側に設けられた２つの挿通孔２１ａは水槽５の側壁５ｂの上面５ｊに設けられたネジ穴に位置合わせされる。
【００４７】
以上のように各挿通孔２１ａが位置合わせされて上からネジがねじ込まれることにより、天板７ｄに取付部材２０を取り付けると共に取付部材２０を水槽５Ａに取り付けることができる。このように、第２飲料管ユニット７に取付部材２０を取り付けることによって、第２飲料管ユニット７の水平方向の長さＷを調整可能である。また、取付部材２０の第２部分２２は、取付部材２０が第２飲料管ユニット７及び水槽５Ａに取り付けられたときに、水槽５Ａの側壁５ｂの内側面に対向（又は接触）する。
【００４８】
次に、飲料サーバ１における飲料管（第１飲料管ユニット６及び第２飲料管ユニット７）の設置方法について説明する。以下では、水槽５Ａに第１飲料管ユニット６及び第２飲料管ユニット７を設置する方法について説明する。
【００４９】
まず、第２飲料管ユニット７の支持脚７ｂの支持部７ｋに取付部材１０を取り付ける。具体的には、取付部材１０の第１部分１１ａ、第２部分１１ｂ及び第３部分１１ｃの間に支持部７ｋを挿入し、この支持部７ｋを上からボルト部１２ｂで押さえつけて支持部７ｋを取付部材１０に固定する。
【００５０】
そして、下側のボルト部１２ｂの頭部１２ｃに対するナット部１２ａの高さＨを調整して、第２飲料管ユニット７の高さを水槽５Ａの深さに合わせて調整する。このとき、第２飲料管ユニット７の天板７ｄの高さが側壁５ｂの上面５ｊの高さと一致するように高さ調整を行う（支持部に取付部材１０を取り付ける工程）。
【００５１】
そして、第２飲料管ユニット７を水槽５Ａの内部に配置した状態で第２飲料管ユニット７の天板７ｄと水槽５Ａの上面５ｊとに取付部材２０を取り付ける。具体的には、天板７ｄと上面５ｊの上に取付部材２０の第１部分２１を乗せて、上からネジを挿通孔２１ａに挿入してねじ込むことにより、第２飲料管ユニット７及び水槽５Ａに取付部材２０を取り付ける。このとき、取付部材２０の第２部分２２を水槽５Ａの内側面に対向（又は接触）させる（支持部に取付部材２０を取り付ける工程）。以上のように、取付部材１０，２０を第２飲料管ユニット７の支持部に取り付けて第２飲料管ユニット７を水槽５Ａの中に配置することにより、水槽５Ａの内部において第２飲料管ユニット７を支持させる（飲料管ユニットを支持する工程）。
【００５２】
続いて、第２飲料管ユニット７の内側に第１飲料管ユニット６を配置する。このとき、第２飲料管ユニット７のコイル部７ａの内側に第１飲料管ユニット６のコイル部６ａが位置するように、上から第１飲料管ユニット６を挿入して固定させる。その後は、飲料流入部６ｒ、飲料流入部７ｐ及び飲料流出部７ｑに適宜ホース部材を取り付けて、水槽５Ａに冷却水を収容する。そして、蓋４ｃを閉じることにより、第１飲料管ユニット６及び第２飲料管ユニット７の設置が完了する。
【００５３】
続いて、本実施形態に係る飲料サーバ１、及び飲料管の設置方法の作用効果について説明する。
【００５４】
飲料サーバ１及びその飲料管の設置方法では、第２飲料管ユニット７と水槽５Ａの間に取り付けられる取付部材１０，２０を備える。取付部材１０は水槽５Ａの底壁５ｄと支持部７ｋとの間に取り付けられることによって第２飲料管ユニット７を支持する。また、取付部材２０は水槽５Ａの側壁５ｂと天板７ｄとの間に取り付けられることによって第２飲料管ユニット７を支持する。このように取付部材１０，２０を第２飲料管ユニット７の支持部と水槽５Ａの間に取り付けることによって、第２飲料管ユニット７を水槽５Ａに支持させることができる。なお、取付部材１０，２０は、前述のように飲料管ユニットの収容時に取り付けられてもよいし、初めから飲料管ユニットに取り付けられていてもよい。
【００５５】
また、取付部材１０，２０は、第２飲料管ユニット７の支持部に取り付けられた状態で水槽５Ａと当該支持部の間に介在する。従って、取付部材１０，２０は、水槽５Ａと当該支持部との間に介在して第２飲料管ユニット７を支持する。このように取付部材１０，２０を第２飲料管ユニット７の支持部に取り付けることによって、第２飲料管ユニット７を取付部材１０，２０を介して水槽５Ａに支持させることができる。
【００５６】
従って、第２飲料管ユニット７と比べて大きい水槽５Ａに対しても、取付部材１０，２０を介して第２飲料管ユニット７を支持させることができる。よって、取付部材１０，２０を第２飲料管ユニット７の支持部に取り付けることにより、第２飲料管ユニット７を、水槽５以外の他の水槽５Ａに使い回すことができる。
【００５７】
また、取付部材１０は、第２飲料管ユニット７の支持部７ｋに取り付けられた状態で水槽５Ａの底壁５ｄに接触する。よって、第２飲料管ユニット７の支持部７ｋに取付部材１０を取り付けて取付部材１０を底壁５ｄに接触させることにより、より深い水槽５Ａに対しても第２飲料管ユニット７を設置することができる。また、第２飲料管ユニット７の支持部７ｋに取付部材１０を取り付けて、取付部材１０を底壁５ｄに接触させて第２飲料管ユニット７を支持することにより、第２飲料管ユニット７の設置を行うことができる。従って、深さが異なる他の水槽５Ａに対しても第２飲料管ユニット７を使い回すことができる。
【００５８】
また、取付部材２０は、第２飲料管ユニット７の天板７ｄに取り付けられた状態で水槽５Ａの側壁５ｂに到達する。従って、第２飲料管ユニット７だけでは側壁５ｂに到達しない大きな水槽５Ａに対しても、天板７ｄに取付部材２０を取り付けて第２飲料管ユニット７を側壁５ｂに到達させることができる。よって、水平方向に広い面積を備えた他の水槽５Ａに対しても第２飲料管ユニット７を使い回すことができる。
【００５９】
また、第２飲料管ユニット７は、水槽５Ａに対して脱着自在となっている。従って、水槽５Ａに対する第２飲料管ユニット７の脱着を行うことにより、他の水槽５Ａへの第２飲料管ユニット７の使い回しを行うことができる。
【００６０】
また、取付部材２０は、側壁５ｂの上面５ｊに対向する板状の第１部分２１と、第１部分２１から第１部分２１の面外方向に突出して側壁５ｂの内側面に対向する第２部分２２とを有する。よって、取付部材２０の取り付け時に、第１部分２１が側壁５ｂの上面５ｊに対向し、第２部分２２が水槽５の内側面に対向する。このように上面５ｊに対向する第１部分２１と内側面に対向する第２部分２２とを備えることにより、取付部材２０を補強することができる。また、第１部分２１を上面５ｊに対向させると共に第２部分２２を側壁５ｂの内側面に対向させることによって、側壁５ｂに対する取付部材２０の位置決めを行うことができる。
【００６１】
以上、本発明の実施形態について説明したが、本発明は、前述の実施形態に限定されるものではなく、各請求項に記載した要旨を変更しない範囲で変形し、又は他のものに適用したものであってもよい。すなわち、本発明は、各請求項の要旨を変更しない範囲で種々の変形が可能である。
【００６２】
例えば、前述の実施形態では、板状部１１及び調整部１２を備えた取付部材１０、並びに、第１部分２１及び第２部分２２を備えた取付部材２０について説明した。しかしながら、取付部材１０及び取付部材２０の形状、大きさ及び材料は適宜変更可能である。また、前述の実施形態では、第２飲料管ユニット７に取付部材１０，２０が取り付けられる例について説明したが、第１飲料管ユニット６に取付部材１０，２０が取り付けられてもよい。
【００６３】
また、前述の実施形態では、第２飲料管ユニットの収容時に取付部材１０，２０を取り付ける例について説明したが、取付部材１０，２０が取り付けられるタイミングは、飲料管ユニットの収容時に限定されない。例えば、取付部材１０，２０は、飲料管ユニットに最初から取り付けられていてもよい。更に、前述の実施形態では、ボルト又はネジによって取付部材１０，２０が取り付けられる例について説明したが、取付部材１０，２０が取り付けられる手段についても上記の例に限定されない。例えば、取付部材１０，２０は予め溶接によって取り付けられていてもよい。
【００６４】
また、前述の実施形態では、第１飲料管ユニット６及び第２飲料管ユニット７、すなわち２体の飲料管が水槽５の内部に配置される例について説明した。しかしながら、１体、又は３体以上の飲料管が水槽５の内部に配置されてもよい。また、第１飲料管ユニット６及び第２飲料管ユニット７の配置態様（例えば第１飲料管ユニット６に対する第２飲料管ユニット７の配置位置）についても適宜変更可能である。更に、第１飲料管ユニット６及び第２飲料管ユニット７の形状及び大きさについても適宜変更可能であり、第１飲料管ユニット６及び第２飲料管ユニット７の少なくともいずれかが水槽５に対して脱着自在となっていなくてもよい。
【００６５】
また、前述の実施形態では、筐体４の第１筐体４ａに第１カラン２Ａ及び第２カラン２Ｂが設けられ、第２筐体４ｄに第３カラン２Ｃが設けられる例について説明した。しかしながら、筐体及びカランの個数、形状及び配置態様は、上記の例に限定されず適宜変更可能である。
【符号の説明】
【００６６】
１…飲料サーバ、２Ａ…第１カラン、２Ｂ…第２カラン、２Ｃ…第３カラン、４…筐体、４ａ…第１筐体、４ｂ…側壁、４ｃ…蓋、４ｄ…第２筐体、４ｅ…前壁、５，５Ａ…水槽、５ａ…前壁、５ｂ…側壁、５ｃ…後壁、５ｄ…底壁、５ｊ…上面、６…第１飲料管ユニット、６ａ，７ａ…コイル部（飲料管）、６ｂ，７ｂ…支持脚、６ｃ，７ｄ…天板（支持部）、６ｄ…板状部、６ｅ…底板、６ｆ…第１固定部、６ｇ…第１直線部、６ｈ…第１折り曲げ部、６ｊ…第２直線部、６ｋ…第２折り曲げ部、６ｍ…第３直線部、６ｎ…固定部、６ｐ…第１貫通孔、６ｑ…第２貫通孔、６ｒ…飲料流入部、７…第２飲料管ユニット（飲料管ユニット）、７ｃ…保護部材、７ｅ…第１固定部、７ｆ…第１折り曲げ部、７ｇ…第１直線部、７ｈ…第２折り曲げ部、７ｊ…第２固定部、７ｋ…支持部、７ｍ…下面、７ｐ…飲料流入部、７ｑ…飲料流出部、７ｒ…ネジ穴、８…接続部材、９…モータ、１０…取付部材、１１…板状部、１１ａ…第１部分、１１ｂ…第２部分、１１ｃ…第３部分、１１ｄ…第４部分、１１ｅ…第５部分、１１ｆ…挿通孔、１２…調整部、１２ａ…ナット部、１２ｂ…ボルト部、１２ｃ…頭部、１２ｄ…雄螺子部、２０…取付部材、２１…第１部分、２１ａ…挿通孔、２２…第２部分、Ｎ…ネジ。
【図１】
2018004196.tif 000003
【図２】
2018004196.tif 000004
【図３】
2018004196.tif 000005
【図４】
2018004196.tif 000006
【図５】
2018004196.tif 000007
【図６】
2018004196.tif 000008
【図７】
2018004196.tif 000009
【図８】
2018004196.tif 000010
【図９】
2018004196.tif 000011